(57)【要約】【課題】情報処理装置から入出力された制御信号を、入出力切替装置によって選択し、複数台の情報処理装置を制御することを特徴とする、情報処理装置の入出力切替方式を提供する。【解決手段】１つの情報処理装置から入出力される制御信号を、入出力切替装置に供給し、情報処理装置から入出力されている制御信号に応じて複数の情報処理装置を選択的に切り替え、入出力切替装置に接続されている表示装置は、選択されている情報処理装置の表示情報（カーソル表示の表示位置／画面サイズ等）に基づき表示し、キーボード、マウス等については選択されている情報処理装置を制御することにより、複数の情報処理装置を選択し切り替える。【選択図】  図３
2005004297.tif 000002
【特許請求の範囲】
【請求項１】
１つの情報処理装置から入出力される制御信号を、入出力切替装置に供給し、情報処理装置から入出力されている制御信号に応じて複数の情報処理装置を選択的に切り替え、入出力切替装置に接続されている表示装置は、選択されている情報処理装置の表示情報（カーソル表示の表示位置／画面サイズ等）に基づき表示し、キーボード、マウス等については選択されている情報処理装置を制御することにより、複数の情報処理装置を選択し切り替えることを特徴とする制御方法。
【請求項２】
請求項１に記載の制御方法において、表示情報（カーソル表示の表示位置／画面サイズ等）や、キーボード、マウス等の制御信号の切り替え判断は、入出力切替装置で行われることを特徴とする制御方法。
【発明の詳細な説明】
【０００１】
【発明の属する技術分野】
本発明は、情報処理装置から入出力された制御信号を、入出力切替装置によって選択し、複数台の情報処理装置を制御する方法、入出力切替装置および入出力切替方式に関する。
【０００２】
【従来の技術】
情報処理装置をラック等に搭載する場合は、省スペースや利便性の向上などを考慮してキーボード／マウス／モニタ等の入出力デバイスからの制御信号を、複数台の装置に対してそれぞれ切り替えて供給する入出力切替装置を使用することがある。
【０００３】
また、特開２００２−４１４３８号公報に記載のように、入力デバイスから出力される制御信号に基づき、複数の情報処理装置を制御する方式などがある。
【０００４】
図１は、従来技術による入出力切替装置を用いて、複数台の情報処理装置を使用する際の一例の構成を示す概念図である。
【０００５】
マウス（１）とキーボード（２）とからなる一組の入力デバイスと、表示装置（３）の出力デバイスを入出力切替装置（４）に接続し、情報処理装置１（５）、情報処理装置２（６）、情報処理装置ｎ（７）を制御する例である。
【０００６】
情報処理装置１（５）から出力される制御信号と画像データを通信ケーブル１（８）を介して入出力切替装置（４）に、情報処理装置２（６）から出力される制御信号と画像データを通信ケーブル２（９）を介して入出力切替装置（４）に、情報処理装置ｎ（７）から出力される制御信号と画像データを通信ケーブルｎ（１０）を介して入出力切替装置（４）に供給されている。
【０００７】
入出力切替装置（４）には、前面に切替スイッチ（１１）が設けられ、切替スイッチ（１１）にて選択された情報処理装置のビデオ信号を表示装置（３）に供給し、選択された情報処理装置の表示情報が表示装置（３）に表示される。マウス（１）、キーボード（２）についても同様、切替スイッチ（１１）にて選択された情報処理装置へ、通信ケーブルを介してデータを供給している。
【０００８】
【特許文献１】
特開２００２−４１４３８号公報
【０００９】
【発明が解決しようとする課題】
従来の入出力切替装置は、上述したように入出力切替装置の操作部にて選択を手動で行っていたが、ラック等に搭載した場合、１台あたりのラックに情報処理装置が大量に搭載される可能性があり、入出力切替装置の操作部にて選択する際に、選択したい情報処理装置がどれに相当するのか判り難く、不便であるという問題点がある。なお、システム装置に任意の番号等が割り振られ、入出力切替装置の操作部に明記されていた場合でも、情報処理装置と入出力切替装置間のキーボード、マウス、表示ケーブルの配線が誤って接続されていた場合、選択したいシステム装置がどれに相当するのかわからない。
【００１０】
【課題を解決するための手段】
この発明は、上述した課題を解決するために、情報処理装置側に選択機能を設けることにより、容易に選択が可能となる。
【００１１】
また、情報処理装置側に選択されている情報を、表示することにより明確にすることが可能となる。
【００１２】
【発明の実施の形態】
以下に本発明の１実施例を詳細に説明する。
【００１３】
図２は、本発明による入出力切替装置を用いた際の、一例の構成を示す略線図である。
【００１４】
マウス（１）キーボード（２）や表示装置（３）といった入出力デバイスが、ビデオケーブル（１４）キーボードケーブル（１５）マウスケーブル（１６）を介して、入出力切替装置（４）にそれぞれ接続される。入出力切替装置（４）からは、通信ケーブル１（８）、通信ケーブル２（９）、通信ケーブルｎ（１０）によって、情報処理装置１（５）、情報処理装置２（６）、情報処理装置ｎ（７）にそれぞれ接続される。
【００１５】
例えば、情報処理装置ｎ（７）を選択した場合、情報処理装置ｎ（７）の選択スイッチｎ（１２）を押下することにより、入出力切替装置（４）は後述の方式により情報処理装置ｎ（７）を選択し、情報処理装置ｎ（７）の表示情報（カーソル表示位置／画面サイズ等）をビデオケーブル（１４）を介して表示装置に供給し、またマウス（１）キーボード（２）についても、入出力切替装置を介し、情報処理装置ｎ（７）へ制御信号データを供給する事を特徴とした情報処理装置の入出力切替方式である。
【００１６】
また選択されている情報処理装置ｎ（７）については、現在選択されている情報表示として、ＬＥＤｎ（１３）を点灯させることにより、明確にすることを特徴とした情報処理装置の入出力切替方式である。
【００１７】
次に、入出力切替装置（４）の情報処理装置選択方式について説明する。
【００１８】
図３は、図２における入出力切替装置（４）の構成を、より詳細に示す図である。表示情報（カーソル表示の表示位置／画面サイズ等）データの流れとしては、入出力切替装置（４）の入出力部１（１７）に、各情報処理装置より表示情報データが供給されており、選択スイッチにて選択された情報処理装置の表示情報データを、後述の方式により、制御部（１９）にて選択後、入出力部２（２０）に供給し、表示装置に選択された情報処理装置の表示データを表示する。マウス（１）およびキーボード（２）の制御信号データの流れについては、入出力部２（２０）に供給されているマウスおよびキーボードの制御信号データを、選択スイッチにて選択された情報処理装置へ制御部（１９）にてセレクトし、入出力部１（１７）に供給され、データが通信ケーブルを介して選択された情報処理装置へ供給される。
【００１９】
また、制御部（１９）は、現在選択されている情報処理装置ｎ（７）に対して、ＬＥＤ点灯コマンドを発行し、バス（１８）を介し、入出力部１（１７）より通信ケーブルｎ（１０）を介して、情報処理装置ｎ（７）にて受け付けられる。ＬＥＤ点灯コマンドを受け取った情報処理装置ｎ（７）のキーボードコントローラｎ（２１）は、ＬＥＤ点灯コマンドであることを解読し、ＬＥＤｎ（１３）を点灯させる。
【００２０】
なお、選択スイッチが押下されなかった場合は、最初に電源が投入された情報処理装置が選択されている。
【００２１】
図４は、セレクトコマンドによる情報処理装置選択方式を説明するための図である。
【００２２】
情報処理装置ｎ（７）の選択スイッチｎ（１２）を押下することにより、情報処理装置ｎ（７）のキーボードコントローラｎ（２１）が選択されたことを認識し、キーボードコントローラｎ（２１）がセレクトコマンドを発行する。セレクトコマンドが、通信ケーブルｎ（１０）を介して入出力切替装置（４）に供給されると、制御部（１９）にて、セレクトコマンドを解読し、情報処理装置ｎ（７）を選択する。セレクトコマンドは、通信ケーブルｎ（１０）を介して入出力切替装置（４）に供給されると、制御部（１９）にて、セレクトコマンドを解読し、選択された情報処理装置ｎ（７）の表示情報（カーソル表示の表示位置／画面サイズ等）をバス（１８）を介して、入出力部２（２０）に出力し、ビデオケーブル（１４）を介して表示装置（３）にデータが供給される。
【００２３】
マウス（１）、キーボード（２）の制御信号データは、入出力部２（２０）よりバス（１８）を介して、制御部（１９）にてセレクトコマンドを解読し、選択された情報処理装置ｎ（７）へ、入出力部１（１７）を介して供給される。
【００２４】
図６のフローチャートを用いて、図４の処理について、さらに詳細に説明する。
【００２５】
図６は、上述の図４で説明した、セレクトコマンドによる情報処理装置選択処理のフローチャートである。
【００２６】
図４のシステム構成において、情報処理装置１（５）の電源を最初にＯＮすると（ステップＳ０１）、入出力切替装置（４）は情報処理装置１（５）のキーボード（またはマウス）インタフェースの電源ラインに電源が供給されたことにより、制御部（１９）にて情報処理装置１（５）の電源がＯＮしたことを認識し、制御部（１９）は情報処理装置１（５）を選択する（ステップＳ０２）。
【００２７】
次に、情報処理装置１（５）の表示情報（カーソル表示の表示位置／画面サイズ等）については、Ｖｉｄｅｏコネクタ１（２９）より通信ケーブル１（８）を介して、入出力部１（１７）に供給され、制御部（１９）にてセレクトされている情報処理装置１（５）の表示情報を、バス（１８）を介して、入出力部２（２０）に出力し、ビデオケーブル（１４）を介して表示装置（３）にデータが供給される（ステップＳ０３）。
【００２８】
マウス（１）およびキーボード（２）の制御信号データの流れについては、入出力部２（２０）に供給されているマウスおよびキーボードの制御信号データを、バス（１８）を介し、制御部（１９）にてセレクトされている入出力部１（１７）に供給され、データが通信ケーブル１（８）を介して、情報処理装置１（５）へ供給される（ステップＳ０４）。
【００２９】
次に、入出力切替装置（４）の制御部（１９）より、情報処理装置１（５）にＬＥＤ点灯コマンドが発行される（ステップＳ０５）。情報処理装置１（５）のキーボードコントローラ１（２６）は、ＬＥＤ点灯コマンド（ステップＳ０５）を解読し、キーボードコントローラ１（２６）より、ＬＥＤ１（２５）を点灯するようデータ出力する（ステップＳ０６）。
【００３０】
次に、情報処理装置ｎ（７）の電源をＯＮしたあと、選択スイッチｎ（１２）を押下すると（ステップＳ０７）、キーボードコントローラｎ（２１）は、情報処理装置ｎ（７）が選択されたことを認識し、キーボードコントローラｎ（２１）がセレクトコマンドを発行する（ステップＳ０８）。セレクトコマンドが、通信ケーブルｎ（１０）を介して入出力切替装置（４）に供給されると、制御部（１９）にて、セレクトコマンドを解読し、情報処理装置ｎ（７）を選択する（ステップＳ０９）。
【００３１】
次に、選択された情報処理装置ｎ（７）の表示情報（カーソル表示の表示位置／画面サイズ等）は、Ｖｉｄｅｏコネクタｎ（２４）より通信ケーブルｎ（１０）を介して、入出力部１（１７）に供給されており、制御部（１９）にてセレクトされている情報処理装置ｎ（７）の表示情報を、バス（１８）を介して、入出力部２（２０）に出力し、ビデオケーブル（１４）を介して表示装置（３）にデータが供給される（ステップＳ１０）。マウス（１）、キーボード（２）の制御信号データは、入出力部２（２０）に供給されているマウスおよびキーボードの制御信号データを、バス（１８）を介して、制御部（１９）にてセレクトされている入出力部１（１７）に供給され、データが通信ケーブルｎ（１０）を介して、情報処理装置ｎ（７）へ供給される（ステップＳ１１）。
【００３２】
次に、入出力切替装置（４）より情報処理装置１（５）へＬＥＤ消灯コマンドを発行する（ステップＳ１２）。情報処理装置１（５）のキーボードコントローラ１（２６）は、ＬＥＤ消灯コマンド（ステップＳ１２）を解読し、ＬＥＤ１（２５）を消灯する（ステップＳ１３）。
【００３３】
次に、入出力切替装置（４）より情報処理装置ｎ（７）へＬＥＤ点灯コマンドを発行する（ステップＳ１４）。情報処理装置１（５）のキーボードコントローラｎ（２１）は、ＬＥＤ点灯コマンド（ステップＳ１４）を解読し、ＬＥＤ（１３）を点灯する（ステップＳ１５）。
【００３４】
また、図５はセレクト信号による情報処理装置選択方式を説明する図である。
【００３５】
情報処理装置ｎ（７）の選択スイッチｎ（１２）を押下すると、セレクト信号をキーボードコネクタｎ（２２）未使用ピンである２ピンまたは６ピン（またはマウスコネクタｎ（２３）未使用ピンである２ピンまたは６ピン）を利用し、通信ケーブルｎ（１０）を介して、入出力切替装置（４）に供給される。入出力切替装置（４）の制御部（１９）では、セレクト信号により選択された情報処理装置ｎ（７）の表示情報（カーソル表示の表示位置／画面サイズ等）を、Ｖｉｄｅｏコネクタｎ（２４）より通信ケーブルｎ（１０）を介して、入出力部１（１７）に供給され、制御部（１９）にて選択された情報処理装置ｎ（７）の表示情報を、バス（１８）を介して、入出力部２（２０）に出力し、ビデオケーブル（１４）を介して表示装置（３）にデータが供給される。
【００３６】
マウス（１）、キーボード（２）の制御信号データは、入出力部２（２０）に供給されているマウスおよびキーボードの制御信号データを、バス（１８）を介して、制御部（１９）にて選択されている入出力部１（１７）に供給され、データが通信ケーブルｎ（１０）を介して、情報処理装置ｎ（７）へ供給される。
【００３７】
図７のフローチャートを用いて、図５の処理について、さらに詳細に説明する。
【００３８】
図７は、上述の図５で説明した、セレクト信号による情報処理装置選択処理のフローチャートである。
【００３９】
図５のシステム構成において、情報処理装置１（５）の電源を最初にＯＮすると（ステップＳ０１）、入出力切替装置（４）は情報処理装置１（５）のキーボード（またはマウス）インタフェースの電源ラインに電源が供給されたことにより、制御部（１９）にて情報処理装置１（５）の電源がＯＮしたことを認識し、制御部（１９）は情報処理装置１（５）を選択する（ステップＳ０２）。
【００４０】
次に、情報処理装置１（５）の表示情報（カーソル表示の表示位置／画面サイズ等）については、Ｖｉｄｅｏコネクタ１（２９）より通信ケーブル１（８）を介して、入出力部１（１７）に供給され、制御部（１９）にてセレクトされている情報処理装置１（５）の表示情報を、バス（１８）を介して、入出力部２（２０）に出力し、ビデオケーブル（１４）を介して表示装置（３）にデータが供給される（ステップＳ０３）。
【００４１】
マウス（１）およびキーボード（２）の制御信号データの流れについては、入出力部２（２０）に供給されているマウスおよびキーボードの制御信号データを、バス（１８）を介し、制御部（１９）にてセレクトされている入出力部１（１７）に供給され、データが通信ケーブル１（８）を介して、情報処理装置１（５）へ供給される（ステップＳ０４）。
【００４２】
次に、入出力切替装置（４）の制御部（１９）より、情報処理装置１（５）にＬＥＤ点灯コマンドが発行される（ステップＳ０５）。情報処理装置１（５）のキーボードコントローラ１（２６）は、ＬＥＤ点灯コマンド（ステップＳ０５）を解読し、キーボードコントローラ１（２６）の空きポートを利用して、ＬＥＤ１（２５）を点灯するようデータ出力する（ステップＳ０６）。
【００４３】
次に、情報処理装置ｎ（７）の電源をＯＮしたあと、選択スイッチｎ（１２）を押下すると（ステップＳ０７）、セレクト信号をキーボードコネクタｎ（２２）未使用ピンである２ピンまたは６ピン（またはマウスコネクタｎ（２３）未使用ピンである２ピンまたは６ピン）より、入出力切替装置（４）に供給する（ステップＳ１６）。入出力切替装置（４）の制御部（１９）では、セレクト信号を解読し、情報処理装置ｎ（７）を選択する（ステップＳ０９）。
【００４４】
次に、選択された情報処理装置ｎ（７）の表示情報（カーソル表示の表示位置／画面サイズ等）は、Ｖｉｄｅｏコネクタｎ（２４）より通信ケーブルｎ（１０）を介して、入出力部１（１７）に供給され、制御部（１９）にてセレクトされている情報処理装置ｎ（７）の表示情報を、バス（１８）を介して、入出力部２（２０）に出力し、ビデオケーブル（１４）を介して表示装置（３）にデータが供給される（ステップＳ１０）。マウス（１）、キーボード（２）の制御信号データは、入出力部２（２０）に供給されているマウスおよびキーボードの制御信号データを、バス（１８）を介して、制御部（１９）にてセレクトされている入出力部１（１７）に供給され、データが通信ケーブルｎ（１０）を介して、情報処理装置ｎ（７）へ供給される（ステップＳ１１）。
【００４５】
次に、入出力切替装置（４）より情報処理装置１（５）へＬＥＤ消灯コマンドを発行する（ステップＳ１２）。情報処理装置１（５）のキーボードコントローラ１（２６）は、ＬＥＤ消灯コマンド（ステップＳ１２）を解読し、ＬＥＤ１（２５）を消灯する（ステップＳ１３）。
【００４６】
次に、入出力切替装置（４）より情報処理装置ｎ（７）へＬＥＤ点灯コマンドを発行する（ステップＳ１４）。情報処理装置１（５）のキーボードコントローラｎ（２１）は、ＬＥＤ点灯コマンド（ステップＳ１４）を解読し、ＬＥＤ（１３）を点灯する（ステップＳ１５）。
【００４７】
【発明の効果】
本発明は、以上説明したように情報処理装置から入出力される制御信号に応じて、入出力切替装置に接続されている表示装置、キーボード、マウス等とインタフェースを設ける事が可能となり、容易に情報処理装置を選択する事が可能となり、操作性が向上する効果がある。
【００４８】
また、選択したい情報処理装置の選択スイッチを押下することにより、選択ミスを防止することができ、且つ選択されている情報処理装置をＬＥＤ点灯させることにより、選択されている情報処理装置が目視でも容易に確認する事が可能とる。
【図面の簡単な説明】
【図１】従来技術による入出力切替装置を用いて、複数台の情報処理装置を使用する際の一例の構成を示す概念図である。
【図２】本発明による入出力切替装置を用いた際の、一例の構成を示す略線図である。
【図３】入出力切替装置の構成をより詳細に示すブロック図である。
【図４】セレクトコマンドによる情報処理装置選択方式を説明する図である。
【図５】セレクト信号による情報処理装置選択方式を説明する図である。
【図６】セレクトコマンドによる情報処理装置選択処理を説明するフローチャートである。
【図７】セレクト信号による情報処理装置選択処理を説明するフローチャートである。
【符号の説明】
１…マウス、２…キーボード、３…表示装置、４…入出力切替装置、５…情報処理装置１、６…情報処理装置２、７…情報処理装置ｎ、８…通信ケーブル１、９…通信ケーブル２、１０…通信ケーブルｎ、１１…切替ＳＷ、１２…選択スイッチｎ、１３…ＬＥＤｎ、１４…ビデオケーブル、１５…キーボードケーブル、１６…マウスケーブル、１７…入出力部１、１８…バス、１９…制御部、２０…入出力部２、２１…キーボードコントローラｎ、２２…キーボードコネクタｎ、２３…マウスコネクタｎ、２４…Ｖｉｄｅｏコネクタｎ、２５…ＬＥＤ１、２６…キーボードコントローラ１、２７…キーボードコネクタ１、２８…マウスコネクタ１、２９…Ｖｉｄｅｏコネクタ１。
【図１】
2005004297.tif 000003
【図２】
2005004297.tif 000004
【図３】
2005004297.tif 000005
【図４】
2005004297.tif 000006
【図５】
2005004297.tif 000007
【図６】
2005004297.tif 000008
【図７】
2005004297.tif 000009